(57)【要約】【課題】通常演奏とカップ奏法による演奏を良好に行うことができ、演奏感および演奏性を向上させる。【解決手段】第１のシンバル１２と、カップ奏法による演奏時に用いられる第２のシンバル１３を備えている。第２のシンバル１３は、第１のシンバル１２より小さくかつドーム状に形成され、第１のシンバル１２の上方に配置される。第１のシンバル１２と第２のシンバル１３にセンサ１５，１９をそれぞれ取付ける。【選択図】  図２
2005275421.tif 000002
【特許請求の範囲】
【請求項１】
通常演奏に用いられる第１のシンバルと、
カップ演奏に用いられる第２のシンバルと、
前記第１、第２のシンバルにそれぞれ設けられ各シンバルの被打撃部に対する打撃に基づく振動を検出し電気信号に変換するセンサとを備え、
前記第２のシンバルを前記第１のシンバルより小さくかつドーム状に形成し、前記第１のシンバルの上方に配置したことを特徴とする電子シンバル。
【発明の詳細な説明】
【技術分野】
【０００１】
本発明は、通常演奏とカップ奏法による演奏を可能にした電子シンバルに関する。
【背景技術】
【０００２】
電子シンバルは、シンバルをスティックで打撃し、その振動を電気信号に変換し、この電気信号を音に変換してスピーカまたはヘッドホンから発音させるようにしている（例えば、特許文献１参照）。
【０００３】
この種のシンバルに要求される性能としては、どの部分を打撃しても感度が均一であること、打撃による振動がいわゆる暴れることなく綺麗な形で減衰すること、打撃音が低いこと等が要求される。そのため、シンバルとしては、一般に５ｍｍ程度の板厚を有するプラスチィック製の平板もしくは自然楽器のシンバルと同様にドーム形状に形成され、被打撃部に打撃音を小さくするためのゴム板を接着し、裏面側にシンバルの振動を電気信号に変換する圧電素子等のセンサを取付けている。
【０００４】
また、このような電子シンバルにおいては、自然楽器としてのシンバルと同様なリムショット奏法（通常演奏）とカップ奏法による演奏を可能にするためにシンバル本体にパッドエリアとリムエリアを設け、リムエリアを打撃することにより通常演奏音を発音させ、パッドエリアを打撃することによりカップ音を発音させるか、またはリムエリアを打撃することによりカップ音を発音させ、パッドエリアを打撃することにより通常演奏音を発音させるようにしたものが知られている。そのため、このような電子シンバルは図３に示すように、シンバル本体１の表面中央部にゴム板２を接着し、裏面側にシンバル本体１の振動を電気信号に変換するパッドセンサ３と、通常演奏音とカップ音を切替えるためのリムスイッチ４を設けている。なお、電子シンバルの場合は、リムスイッチ３のＯＮ、ＯＦＦによって通常演奏音とカップ音との切替えを電気的に行なうため、パッドエリアとリムエリアを自然楽器のシンバルにおけるパッドエリアとリムエリアと必ずしも一致させる必要がなく、またエリアによる演奏音の制約はない。
【０００５】
【特許文献１】実公平４−３３５８号公報
【発明の開示】
【発明が解決しようとする課題】
【０００６】
上記したように従来の電子シンバルは、通常演奏音とカップ音を得るために、パッドエリアとリムエリアを設け、パッドセンサ３とリムスイッチ４を設けていた。その場合、シンバル本体の外周部をパッドエリア、中央部をリムエリアにすると、自然楽器のシンバルにおける通常演奏時とカップ奏法による演奏時の被打撃部と反対になるため、自然楽器のシンバル奏者が不慣れな電子シンバルを演奏すると、スティック操作が悪く演奏し難くいという問題があった。
【０００７】
そこで、シンバル本体の外周部を通常演奏時の被打撃部（リムエリア）とし、中央部をカップ奏法による演奏時の被打撃部（パッドエリア）とすることも考えられるが、いずれの場合においても、通常演奏時とカップ奏法による演奏時の被打撃部が同一平面上に隣接して設けられているので、スティイクの先端でシンバル本体の中央部を打撃したとき、スティックの中間部がシンバル本体の外周縁に当たり易く、演奏性という点で問題があった。
【０００８】
本発明は上記した従来の問題点を解決するためになされたもので、その目的とするところは、通常演奏とカップ奏法による演奏を良好に行うことができ、スティック操作が容易で演奏感および演奏性を向上させるようにした電子シンバルを提供することにある。
【課題を解決するための手段】
【０００９】
上記目的を達成するために本発明は、通常演奏に用いられる第１のシンバルと、カップ演奏に用いられる第２のシンバルと、前記第１、第２のシンバルにそれぞれ設けられ各シンバルの被打撃部に対する打撃に基づく振動を検出し電気信号に変換するセンサとを備え、前記第２のシンバルを前記第１のシンバルより小さくかつドーム状に形成し、前記第１のシンバルの上方に配置したものである。
【発明の効果】
【００１０】
本発明においては、第２のシンバルを第１のシンバルより小さくかつドーム状に形成し、前記第１のシンバルの上方に配置したので、通常演奏とカップ奏法による演奏を良好に行うことができ、しかも自然楽器のシンバルを演奏するときと同様な感覚で演奏することができるので、スティック操作が容易で演奏感および演奏性に優れた電子シンバルを提供することができる。
【発明を実施するための最良の形態】
【００１１】
以下、本発明を図面に示す実施の形態に基づいて詳細に説明する。図１は本発明に係る電子シンバルの一実施の形態を示す平面図、図２は同シンバルの断面図である。電子シンバル１０は、１つの楽器用ホルダー１１に上下に離間して取付けられる第１、第２のシンバル１２，１３を備えている。
【００１２】
第１のシンバル１２は通常演奏に用いられるもので、合成樹脂等によって上面側が上方に凸となるように緩やかに湾曲する扇型に形成されたシンバル本体１２Ａと、このシンバル本体１２Ａの上面外周部に接着されたゴム板１２Ｂとからなり、シンバル本体１２Ａの下面外周部寄りにセンサ１５が固着され、ゴム板１２Ｂが被打撃部Ａを形成している。また、シンバル本体１２Ａの３つの角部のうち扇の要となる角部には前記楽器用ホルダーが挿通される挿通孔１６と、回転防止用孔１７が形成されている。なお、シンバル本体１２Ａの要となる前記角部の裏面にもゴム板１８が固着されている。
【００１３】
第２のシンバル１３はカップ奏法による演奏を行うときに用いられるもので、ゴム等によって略ドーム状を呈するように形成され、上面外周部が被打撃部Ｂを形成するシンバル本体１３Ａと、このシンバル本体１３Ａの裏面外周部に設けられた円盤状の補強板１３Ｂとで構成され、補強板１３Ｂの下面にセンサ１９が固着されている。また、第２のシンバル１３は、第１のシンバル１２より小さく、第１のシンバル１２の上方に配置される。そのため、第２のシンバル１３の被打撃部Ｂから楽器用ホルダー１１までの距離Ｄ1 は、第１のシンバル１２の被打撃部Ａから楽器用ホルダー１１までの距離Ｄ2 より短い。また、シンバル本体１３Ａの中央部には筒部２０が下方に向かって一体に突設され、この筒部２０の下面が第１のシンバル１２上にフェルトワッシャ（クッション部材）２２を介して載置されている。そして、筒部２０の中央には、前記楽器用ホルダー１１が挿通される挿通孔２３が形成されている。
【００１４】
前記楽器用ホルダー１１は、使用時に楽器用スタンドやバスドラムの胴本体上に取付けられるホルダー本体２５を備えている。このホルダー本体２５の上部には、回転防止用金具２６と、座金２７と、この座金２７の上に位置して前記第１のシンバル１２を挟み込む一対のフェルトワッシャ２３，２８と、フェルトワッシャ３０および蝶ナット３１が取付けられている。回転防止用金具２６は、ボルト３２によってホルダー本体２５に固定され、上端部が前記第１のシンバル１２の回転防止用孔１７に下方から挿入されている。蝶ナット３１は、ホルダー本体２５に螺合されることによりフェルトワッシャ３０を第２のシンバル１３に押し付け、これによって第１、第２のシンバル１２，１３をホルダー本体２５に固定している。フェルトワッシャ３０と蝶ナット３１は、筒部２０の形成によってシンバル本体１３Ａの上面中央に設けられた凹陥部３５内に位置するように配設されている。
【００１５】
このような構造からなる電子シンバル１０において、通常演奏時は第１のシンバル１２の被打撃部Ａをスティックによって打撃し、カップ奏法による演奏時は第２のシンバル１３の被打撃部Ｂをスティックによって打撃する。この場合、第１のシンバル１２と第２のシンバル１３は大きさが異なり、上下方向に離間して設けられているので、これら両シンバル１２，１３の被打撃部Ａ，Ｂも垂直および水平方向に離間している。そのため、第２のシンバル１３は、第１のシンバル１２による演奏を妨げることがない。また、カップ奏法による演奏時に第２のシンバル１３の被打撃部Ｂを打撃したとき、スティックが第１のシンバル１２の被打撃部Ａを打撃することがない。さらに、第２のシンバル１３の被打撃部Ｂは、第１のシンバル１２から見てシンバルの演奏者側とは反対側に位置しているので、第２のシンバル１３を、自然楽器のシンバルにおいてカップ奏法による演奏を行うときと同様な感覚で演奏することができる。したがって、スティック操作が良好で演奏感および演奏性に優れている。
【００１６】
また、第２のシンバル１３の中央に下方に突出する筒部２０を設けているので、フェルトワッシャ２２の厚みが薄くても第１、第２のシンバル１２，１３の間隔を大きくすることができる。しかも、筒部２０の内側は、フェルトワッシャ３０および蝶ナット３１を収納する収納部としての凹陥部３５を形成しているので、第２のシンバル１３の上方に突出する蝶ナット３１の突出寸法を小さくすることができる。さらに、第１、第２のシンバル１２，１３を１つの楽器用ホルダー１１に取付けるようにしているので、ホルダーの数を最小限にすることができる。
【００１７】
なお、上記した実施の形態においては、第２のシンバル１３をドーム型に形成したが、これに限らず図２に示した第１のシンバル１２と同様に扇型に形成してもよい。ただし、ドーム型に形成すると、より本来のカップ奏法の感覚に近い演奏感を得ることができる。
【図面の簡単な説明】
【００１８】
【図１】本発明に係る電子シンバルの一実施の形態を示す平面図である。
【図２】同シンバルの断面図である。
【図３】電子シンバルの従来例を示す平面図である。
【符号の説明】
【００１９】
１０…電子シンバル、１１…楽器用ホルダー、１２…第１のシンバル、１３…第２のシンバル、１５…センサ、１９…センサ、２０…筒部、２２…フェルトワッシャ、２５…ホルダー本体、３０フェルトワッシャ、Ａ，Ｂ…被打撃部。
【図１】
2005275421.tif 000003
【図２】
2005275421.tif 000004
【図３】
2005275421.tif 000005